(57)【特許請求の範囲】
【請求項１】
エンジンとトランスミッションから成るパワープラントと、エンジンに回転可能に装着されたバランスシャフトとから成るパワープラントのバランサ装置において、パワープラントの重心からエンジンが発生する慣性力（Ｆ）の中心までの距離（ＬF ）よりも、パワープラント重心からバランスシャフトの重心、すなわちバランスシャフトが発生する慣性力（ＦX ）の中心までの距離（ＬX ）を長くして、パワープラント重心に作用するエンジンが発生する慣性力（Ｆ）によるピッチングモーメント（Ｆ・ＬF ）とパワープラント重心に作用するバランスシャフトが発生する慣性力（ＦX ）によるピッチングモーメント（ＦX ・ＬX ）とをつり合わせたまま、バランスシャフトが発生する慣性力（ＦX ）をエンジンが発生する慣性力（Ｆ）より小としたことを特徴とするパワープラントのバランサ装置。
【発明の詳細な説明】
【０００１】
【産業上の利用分野】
本発明は、往復運動型エンジンにバランスシャフトを設けて往復動慣性質量により発生する振動を低減させるパワープラントのバランサ装置に関する。
【０００２】
【従来の技術】
往復運動型エンジンのバランサ装置は、たとえば特公昭５７−４４８６３号公報により知られている。そこでは、クランク軸に平行にバランスシャフトが設けられ、クランク軸と連動してバランスシャフトが回転される。そして、エンジン単体では、図２に示すように、ピストン・コネクティングロッド系の往復質量による慣性力Ｆと、バランスシャフト２の発生する慣性力（エンジン中心の各側でｆ）がエンジン１の長手方向中心３でつり合うように設計されている。すなわち、Ｆ＝２ｆとなるように設計されている。
【０００３】
実際の車両搭載状態では、振動系は、図３に示すように、エンジン＋トランスミッション４のパワープラントから成り、該パワープラントにはパワープラント重心５を中心としてエンジン中心３にかかる慣性力によりピッチングモーメントがかかっている。しかし、上記のように２つの慣性力をつり合わせることにより、ピッチングモーメントとしてもつり合っている。すなわち、図３において、エンジンの発生するモーメントＭE 、およびバランスシャフトの発生するモーメントＭB は、それぞれ次のように計算され、互いにつり合っている。
ＭE ＝Ｆ（ａ＋ｌ）
ＭB ＝ａｆ＋（ａ＋２ｌ）ｆ
＝２ｆ（ａ＋ｌ）
＝Ｆ（ａ＋ｌ）
∴ＭE ＝ＭB 
【０００４】
【発明が解決しようとする課題】
バランスシャフト自体はエネルギ損失につながるので、エネルギ損失をできるだけ小さく抑えるために、バランスシャフトを軽量化させバランス率を低下させた場合、エンジンの発生する慣性力に対しバランスシャフトの発生する慣性力が小さくなり、ピッチングモーメントが発生し、エンジン振動、騒音が悪化する。つまり、振動、騒音の悪化なしではバランスウエイトの重量を軽くできない。
【０００５】
本発明の目的は、本質的にピッチングモーメントを発生させることなく、バランスシャフトの重量を軽減させることができるパワープラントのバランサ装置を提供することにある。
【０００６】
【課題を解決するための手段】
上記目的は、本発明によれば、つぎのパワープラントのバランサ装置によって達成される。すなわち、
エンジンとトランスミッションから成るパワープラントと、エンジンに回転可能に装着されたバランスシャフトとから成るパワープラントのバランサ装置において、パワープラントの重心からエンジンが発生する慣性力（Ｆ）の中心までの距離（ＬF ）よりも、パワープラント重心からバランスシャフトの重心、すなわちバランスシャフトが発生する慣性力（ＦX ）の中心までの距離（ＬX ）を長くして、パワープラント重心に作用するエンジンが発生する慣性力（Ｆ）によるピッチングモーメント（Ｆ・ＬF ）とパワープラント重心に作用するバランスシャフトが発生する慣性力（ＦX ）によるピッチングモーメント（ＦX ・ＬX ）とをつり合わせたまま、バランスシャフトが発生する慣性力（ＦX ）をエンジンが発生する慣性力（Ｆ）より小としたことを特徴とするパワープラントのバランサ装置。
【０００７】
【作用】
エンジンの発生する慣性力Ｆによる、パワープラント重心まわりのピッチングモーメントＭE はＭE ＝ＦＬF である。一方、バランスシャフトの発生する慣性力ＦX による、パワープラント重心まわりのピッチングモーメントＭB は、ＭB ＝ＦX ＬX である。両慣性力によるピッチングモーメントを相殺させた場合は、ＦＬF ＝ＦX ＬX である。ここで、パワープラント重心からエンジンの発生する慣性力の中心までの距離ＬF よりも、パワープラント重心からバランスシャフトが発生する慣性力の中心までの距離ＬX を長くすることにより、すなわちＬX ＞ＬF とすることにより、ＦX ＜Ｆとすることができる。したがって、バランスウエイトの重量を、従来必要とされていたＦに対応する重量から、それよりも小さいＦX に対応する重量に、ピッチングモーメントの発生を伴なうことなく、低減できる。
【０００８】
【実施例】
図１は、本発明に係るパワープラントのバランサ装置の望ましい実施例を示している。
図１において、往復運動型エンジン１１とトランスミッション１４は、一体的に連結されて、パワープラント１７を構成している。エンジン１１のシリンダブロックには、バランスシャフト１２がクランク軸軸芯に平行に、クランク軸の両側に配設されており、クランク軸の回転に同期させて回転されることにより、エンジン１１のピストン・コネクティングロッド系の質量の往復によって生じる振動を低減している。
【０００９】
エンジン１１とトランスミッション１４とから成るパワープラント１７の重心１５は、エンジン１１の中心１３よりもトランスミッション１４側にあり、パワープラント重心１５とエンジン中心１３との間の距離をＬF とおく。エンジン１１のピストン・コネクティングロッド系の往復運動時の慣性力Ｆはエンジン中心１３にかかるので、慣性力Ｆによるパワープラント重心１５まわりのピッチングモーメントＭE はＭE ＝ＦＬF である。
【００１０】
一方、バランスシャフト１２の重心、すなわちバランスシャフト１２の発生する慣性力中心１６とパワープラント重心１５との間の距離をＬX とおくと、バランスシャフト１２の発生する慣性力ＦX がパワープラント重心１５まわりに発生するピッチングモーメントＭB は、ＭB ＝ＦX ＬX である。
【００１１】
ピストン・コネクティングロッド系の慣性力Ｆがパワープラント重心１５まわりに発生するピッチングモーメントＭE と、バランスシャフト１２の慣性力ＦX がパワープラント重心１５まわりに発生するピッチングモーメントＭB をつり合わせて、パワープラント重心１５まわりのピッチングモーメントを０にするには、ＦＬF ＝ＦX ＬX でなければならない。いま、パワープラント重心１５からバランスシャフト重心１６までの距離ＬX を、パワープラント重心１５からピストン・コネクティングロッド系の重心１３までの距離ＬF より大に設定すれば、すなわちＬX ＞ＬF と設定すれば、ＦX ＜Ｆとすることができる。したがって、バランスシャフト１２の発生する慣性力ＦX が、従来必要とされていたＦよりも小さくでき、パワープラント重心１５まわりのピッチングモーメントを生じることなく、バランスシャフト１２のバランス率を小にして、バランスウエイトを軽量化することができる。
【００１２】
上記のように、パワープラント重心１５からバランスシャフト重心１６までの距離ＬX を、パワープラント重心１５からピストン・コネクティングロッド系の重心１３までの距離ＬF より大とするための構造は次の通りである。すなわち、バランスシャフト１２は、ピストン・コネクティングロッド系の重心１３に対応する位置にジャーナル部を有し、ジャーナル軸受を介してシリンダブロックに回転自在に支持される。バランスウエイトはバランスシャフト軸方向に２分割されて前記ジャーナル部の両側に配置され、このジャーナル部よりもパワープラント重心１５から遠い方のバランスウエイト１２ｃのアンバランス成分のマス（慣性力ｆ1 ）を他方のバランスウエイト１２ｄのアンバランス成分のマス（慣性力ｆ2 ）よりも大としてある。ただし、ｆ1 ＋ｆ2 ＝ＦX である。これによって、バランスシャフト１２の重心１６がピストン・コネクティングロッド系重心１３よりも、パワープラント重心から離れる方向に移る。
【００１３】
つぎに、作用を説明する。
ＬX ＞ＬF により、ＦX ＜Ｆとすることができ、バランスウエイトを従来より軽量化でき、車両の軽量化、バランスウエイト回転のフリクション低減、エンジン出力向上がはかられる。
【００１４】
また、バランスウエイトをエンジン中心１３に対して前後に均等に分配する必要がなくなったため、バランスシャフト１２を短かくでき、かつ２点支持にすることができる。このため、更なるフリクション低減がはかられるとともに、ベアリング数低減によるコストダウン、給油必要部位が減ることによるオイルポンプ容量の低減が可能となる。
【００１５】
さらに、バランスシャフト１２を短かくできることにより、エンジンオイルを撹拌する部位が減ることと、バランスシャフト配置の自由度が高いため、シリンダヘッドからシリンダブロックへのエンジンオイル落し穴を避けることが容易となる。その結果、ＰＣＶ（ポジティブクランクケースベンチレーション）システムからのオイル持ち去り量を低減できること、オイルフィラーキャップ締め忘れ時のオイル飛散量を低減できること、エンジンオイルへの気泡混入を低減できるため、各部ベアリングの焼付きに対して有利になること、などの種々の作用効果が得られる。
【００１６】
【発明の効果】
本発明によれば、パワープラントの重心からエンジンが発生する慣性力（Ｆ）の中心までの距離（ＬF ）よりも、パワープラント重心からバランスシャフトが発生する慣性力（ＦX ）の中心までの距離（ＬX ）を長くして、パワープラント重心に作用するエンジンが発生する慣性力（Ｆ）によるピッチングモーメント（Ｆ・ＬF ）とパワープラント重心に作用するバランスシャフトが発生する慣性力（ＦX ）によるピッチングモーメント（ＦX ・ＬX ）とをつり合わせたまま、バランスシャフトが発生する慣性力（ＦX ）をエンジンが発生する慣性力（Ｆ）より小としたので、パワープラント重心まわりにピッチングモーメントを発生させることなく、バランスシャフトの重量を低減できる。その結果、エンジン出力向上、バランスシャフトフリクション低減、バランスシャフトの長さの低減等の種々の効果も得られる。
【図面の簡単な説明】
【図１】  本発明の一実施例に係るパワープラントのバランサ装置の概略側面図である。
【図２】  従来のエンジンのバランサ装置の概略側面図である。
【図３】  従来のパワープラントのバランサ装置の概略側面図である。
【符号の説明】
１１  エンジン
１２  バランスシャフト
１３  エンジン中心（エンジンの発生する慣性力中心）
１４  トランスミッション
１５  パワープラント重心
１６  バランスシャフトの発生する慣性力中心
１７  パワープラント
【図１】
0003785102.tif 000002
【図２】
0003785102.tif 000003
【図３】
0003785102.tif 000004